(57)【要約】【課題】移動通信システムにおける、特定または多数の中継器とパケットデータを送受信して遠隔制御を行うシステム及びその方法を提供する。【解決手段】モバイルＩＰプロトコルを用いたパケットデータの送受信を通して特定または多数の中継器を遠隔制御する遠隔制御サーバーと、前記中継器や遠隔制御サーバーの要請により移動通信網と連動して相互間にリンクを設定し、リンクが設定された後にはＩＰ網を通して受信したパケットデータを前記中継器や遠隔制御サーバーにバイパスするデータ端末機と、を含む。【選択図】  図５
2004357264.tif 000002
【特許請求の範囲】
【請求項１】
モバイルＩＰプロトコルを用いたパケットデータの送受信を通して特定または多数の中継器を遠隔制御する遠隔制御サーバーと、
前記中継器や遠隔制御サーバーの要請により移動通信網と連動して相互間にリンクを設定し、リンクが設定された後にはＩＰ網を通して受信したパケットデータを前記中継器や遠隔制御サーバーにバイパスするデータ端末機と、を含むことを特徴とする移動通信システムにおける中継器遠隔制御システム。
【請求項２】
前記遠隔制御サーバーは移動通信網内のＳＭＳＣ（ＳｈｏｒｔＭｅｓｓａｇｅ  Ｓｅｒｖｉｃｅ  Ｃｅｎｔｅｒ）と整合してデータ端末機を通して特定または多数の中継器とリンクを設定した後、遠隔制御を行うことを特徴とする請求項１に記載の移動通信システムにおける中継器遠隔制御システム。
【請求項３】
前記遠隔制御サーバーは移動通信網内のＩＷＦ（ＩｎｔｅｒＷｏｒｋｉｎｇ  Ｆｕｎｃｔｉｏｎ）と整合してデータ端末機を通して特定または多数の中継器とリンクを設定した後、遠隔制御を行うことを特徴とする請求項１に記載の移動通信システムにおける中継器遠隔制御システム。
【請求項４】
前記データ端末機はＩＳ−７０７規約により制御されることを特徴とする請求項１に記載の移動通信システムにおける中継器遠隔制御システム。
【請求項５】
データ端末機の中継を通して前記中継器と遠隔制御サーバー間にリンクを設定する段階と、
リンクが設定されると、ＩＰ網を通してモバイルＩＰプロトコルを用いたパケットデータを送受信し、中継器や遠隔制御サーバー間の遠隔制御を行う段階と、を含むことを特徴とする移動通信システムにおける中継器遠隔制御方法。
【請求項６】
前記リンクを設定する過程は中継器がデータ端末機の正常状態の可否を確認する段階と、
前記確認結果、データ端末機が正常状態である場合、前記データ端末機に連結しようとする遠隔制御サーバーに対する遠隔制御サーバー連結情報を伝送し、連結を要請する段階と、
前記遠隔制御サーバー連結情報によりデータ端末機が移動通信網を通して遠隔制御サーバーとの連結承認手順を行う段階と、
データ端末機が遠隔制御サーバーから連結を承認することを表すメッセージを受信するとこれを中継器に伝送してリンクを設定する段階と、をさらに含むことを特徴とする請求項５に記載の移動通信システムにおける中継器遠隔制御方法。
【請求項７】
前記遠隔制御サーバー連結情報は連結しようとする遠隔制御サーバーの電話番号、ＩＰ住所、サーバーポート情報のうちの何れか一つ以上を含むことを特徴とする請求項６に記載の移動通信システムにおける中継器遠隔制御方法。
【請求項８】
前記遠隔制御サーバーが特定または多数の中継器を遠隔制御する過程はリンクが設定された後、優先的に前記遠隔制御サーバーが前記特定または多数の中継器に埋め込まれたソフトウェアのバージョンを確認し、新たなバージョンで更新する段階をさらに含むことを特徴とする請求項５に記載の移動通信システムにおける中継器遠隔制御方法。
【請求項９】
前記遠隔制御サーバーが特定または多数の中継器を遠隔制御する過程は前記遠隔制御サーバーから連結解除要請があるか否やかを確認する段階と、
前記確認結果、前記遠隔制御サーバーから連結解除要請がない場合、所定の待機時間の間、前記遠隔制御サーバーとデータ送受信が発生しないと自動に連結を解除する段階と、をさらに含むことを特徴とする第５項または請求項８に記載の移動通信システムにおける中継器遠隔制御方法。
【請求項１０】
前記遠隔制御サーバーと自動に連結を解除する過程は連結解除後、中継器が遠隔制御サーバーにまだ伝送しなかったデータが存在するか否やかを確認し、まだ伝送しなかったデータが存在すれば、遠隔制御サーバーとの連結を再び要請する段階をさらに含むことを特徴とする請求項９に記載の移動通信システムにおける中継器遠隔制御方法。
【請求項１１】
データ端末機の中継を通して遠隔制御サーバーと特定または多数の中継機間にリンク設定を要請する段階と、
リンクが設定すると選択された管理モードによりＩＰ網を通してモバイルＩＰプロトコルを用いたパケットデータを送受信し、前記遠隔制御サーバーと特定または多数の中継機間の遠隔制御を行う段階と、を含むことを特徴とする移動通信システムにおける中継器遠隔制御方法。
【請求項１２】
前記連結方法は遠隔制御サーバーが移動通信網内のＳＭＳＣ（Ｓｈｏｒｔ  Ｍｅｓｓａｇｅ  Ｓｅｒｖｉｃｅ  Ｃｅｎｔｅｒ）と整合して短文メッセージ（Ｓｈｏｒｔ  Ｍｅｓｓａｇｅ  Ｓｅｒｖｉｃｅ，  ＳＭＳ）を伝送する方法であることを特徴とする請求項１１に記載の移動通信システムにおける中継器遠隔制御方法。
【請求項１３】
前記連結方法は遠隔制御サーバーが移動通信網内のＩＷＦ（ＩｎｔｅｒＷｏｒｋｉｎｇ  Ｆｕｎｃｔｉｏｎ）と整合して無線モデムのリング信号を伝送する方法であることを特徴とする請求項１１に記載の移動通信システムにおける中継器遠隔制御方法。
【請求項１４】
前記リンクを設定する過程は既貯蔵された中継器管理テーブルをローディングし、該中継器に対する中継器固有番号およびその連結状態を確認する段階と、
前記確認結果、該中継器とリンク設定されていない場合、前記中継器と連結されたデータ端末機に短文メッセージ（ＳＭＳ）またはリング信号を伝送してリンクを設定する段階と、をさらに含むことを特徴とする請求項１１に記載の移動通信システムにおける中継器遠隔制御方法。
【請求項１５】
前記中継器管理テーブルは、中継器固有番号テーブル、データ端末機電話番号テーブル、連結状態テーブル、連結固有番号テーブル、データ端末機に割り当てられたＩＰテーブル、ダウンロードの可否のテーブルのうちの何れか一つ以上を含むことを特徴とする請求項１４に記載の移動通信システムにおける中継器遠隔制御方法。
【請求項１６】
前記管理モードは、データ端末機が自分に連結された中継器からアラムが発生された具体的な原因及びそのアラムの発生された中継器内部位置に対する情報を有する前記中継器の詳細な状態情報を取り合わせて所定周期の詳細情報報告時間毎に遠隔制御サーバーに報告するモードであることを特徴とする請求項１１に記載の移動通信システムにおける中継器遠隔制御方法。
【請求項１７】
前記管理モードは、データ端末機が自分に連結された中継器の動作の可否に対する情報とソフトウェアバージョン情報を含む前記中継器の管理及び遠隔制御に必要な必須情報だけを取り合わせて所定周期の必須情報報告時間毎に遠隔制御サーバーに報告するモードであることを特徴とする請求項１１に記載の移動通信システムにおける中継器遠隔制御方法。
【請求項１８】
前記遠隔制御サーバーが特定または多数の中継器を遠隔制御する過程は遠隔制御サーバーが特定または多数の中継器から連結解除要請があるか否やかを確認する段階と、
前記確認結果、前記特定または多数の中継器から連結解除要請がない場合、所定の待機時間の間、前記特定または多数の中継器とパケットデータ送受信が発生しないと自動に連結を解除する段階と、を含むことを特徴とする請求項１１に記載の移動通信システムにおける中継器遠隔制御方法。
【発明の詳細な説明】
【０００１】
【発明の属する技術分野】
本発明は移動通信システムに関わり、特に移動通信システムにおけるサービス領域内に設けられた多数個の中継器を遠隔で制御する際に、該システム内の遠隔制御サーバーがデータ端末機の中継により移動通信網を介して短文メッセージ（Ｓｈｏｒｔ  Ｍｅｓｓａｇｅ  Ｓｅｒｖｉｃｅ，  ＳＭＳ）  または無線モデムのリング信号で特定または多数の中継器と連結を試みてリンクを設定し、リンクが設定されるとＩＰ（ＩｎｔｅｒｎｅｔＰｒｏｔｏｃｏｌ）  網と連動するモバイルＩＰプロトコルを用い、前記特定または多数の中継器とパケットデータを送受信して遠隔制御を行う移動通信システムにおける中継器遠隔制御システム及びその方法に関するものである。
【０００２】
【従来の技術】
移動通信システムにおける中継器（Ｒｅｐｅａｔｅｒ）  は電波陰影地域に設けられ、基地局電波が通らないところでも移動電話が可能となるよう基地局と電波陰影地域の間を連結して基地局のカバレッジ（Ｃｏｖｅｒａｇｅ）を拡張する役割をする。
【０００３】
そして、中継器はソリューションの方式により、基地局アンテナから伝送された信号を内部のドナー（Ｄｏｎｏｒ）アンテナで受信した後、所定のレベルで増幅しサービスアンテナに放射する方式のＲＦ（Ｒａｄｉｏ  Ｆｒｅｑｕｅｎｃｙ）中継器、基地局から発射された信号をカップリング（Ｃｏｕｐｌｉｎｇ）して電気的信号を光信号に変換した後、これを遠く離れたスレーブ側に伝達し、スレーブ側では伝達された光信号を電気的信号に変換した後、増幅してアンテナを通して再び放射する方式の光（Ｏｐｔｉｃ）中継器等に分ける。
【０００４】
そして、中継器は該移動通信システムのサービス地域にかけて陰影地域毎に広く分布されており、良質の通話品質を提供するためにその維持／管理が重要であるので、移動通信事業者は一定サービス領域にある多数個の中継器を統合し管理しながら遠隔制御を介してその状態情報を把握し制御するための網管理システムを運営している。
【０００５】
図１は、従来中継器の遠隔制御のためのシステム網構成を示したブロック図として、ここに示されたように中継器（１０）データ端末機  （Ｄａｔａ  Ｔｅｒｍｉｎａｌ  Ｅｑｕｐｍｅｎｔ，  ＤＴＥ）（２０）、移動通信網（３０）、遠隔制御サーバー（４０）からなる。
【０００６】
例えば、中継器（１０）にＲＦ（Ｒａｄｉｏ  Ｆｒｅｑｕｅｎｃｙ）中継器を用いる場合、前記中継器（１０）は基地局（３１）のアンテナから伝送された信号をアンテナ（１１）を通して受信した後、ＲＦモジュール（１２）で所定のレベルで増幅して再び前記アンテナ（１１）を通して放射し、運行中障害や性能上の問題が発生する際にデータ端末機（２０）を通して前記中継器（１０）の状態情報を網管理システム（未図示）の遠隔制御サーバー（４０）に報告するか、またはそれに従う制御命令を受信する。
【０００７】
ここで、前記中継器（１０）内の制御部（１３）はＲＦモジュール（１２）に対する制御及び状態管理を行い、中継器（１０）内で発生される状態情報を処理するための制御を行う。
【０００８】
そして、中継器（１０）と一体をなすか、または有線で連結されたデータ端末機（２０）は前記中継器（１０）と遠隔制御サーバー（４０）の間の状態情報または制御命令を送受信するターミナル役割をするが、前記データ端末機（２０）に無線モデム（ＷｉｒｅｌｅｓＭｏｄｅｍ）  を用いる場合遠く離れた遠隔制御サーバー（４０）と移動通信網（３０）を通して短文メッセージ（ＳＭＳ）形態のデータを送受信し、有線モデム（ＤｉａｌｕｐＭｏｄｅｍ）  を用いる場合  ＰＳＴＮ（Ｐｕｂｌｉｃ  Ｓｗｉｔｃｈｅｄ  Ｔｅｌｅｐｈｏｎｅ  Ｎｅｔｗｏｒｋ）の有線電話網（未図示）を通してデータを送受信する。
【０００９】
そして、網管理システム（未図示）内の遠隔制御サーバー（４０）は移動通信網（３０）または有線通信網（未図示）を通して前記データ端末機（２０）と中継器（１０）との状態情報を受信するか、または網管理システム（未図示）管理者の制御命令を送信し、該サービス領域内の多数個の中継器（１０）を遠隔制御する。
【００１０】
即ち、ＲＦ中継器ではデータ端末機（２０）で無線モデムを主に用いるので、運行中障害や性能上の問題が発生する際に前記データ端末機（２０）は中継器（１０）から受信した状態情報を短文メッセージ形態でフォーマットを変換し、基地局（３１）、制御局（３２）、交換機（３３）、ＳＭＳＣ（ＳｈｏｒｔＭｅｓｓａｇｅ  Ｓｅｒｖｉｃｅ  Ｃｅｎｔｅｒ）（３４）、ＨＬＲ（Ｈｏｍｅ  Ｌｏｃａｔｉｏｎ  Ｒｅｇｉｓｔｏｒ）（３５）等からなる移動通信網（３０）を通して遠く離れた遠隔制御サーバー（４０）に伝送し、これを受信した遠隔制御サーバー（４０）は該メッセージを処理し制御命令を伝送する必要があれば再び短文メッセージ形態の制御命令を構成して前記移動通信網（３０）に伝送することになる。
【００１１】
そうすると、前記データ端末機（２０）は前記移動通信網（３０）を通して遠隔制御サーバー（４０）からの制御命令を短文メッセージ形態で受信した後、フォーマットを変換して中継器（１０）に伝達し、前記中継器（１０）は変換された制御命令によりその障害や性能上の問題を解決することになる。
【００１２】
ここで、従来技術のプロトコルスタック（Ｐｒｏｔｏｃｏｌ  Ｓｔａｃｋ）を調べてみると、図２のように中継器（１０）とデータ端末機（２０）との間には物理階層にＲＳ−２３２Ｃ規格を通して直列に連結され、ネットワーク階層では‘１：１通信’の可能なプロトコルとして‘ＬＧＥプロトコル２’が用いられ、データ端末機（２０）と基地局（３１）の間には物理階層に無線インターフェース（ＡｉｒＩ／Ｆ）  に連結され、ネットワーク階層に‘１：ｎ通信’の可能なプロトコルとして‘ＬＧＥプロトコル１’により短文メッセージ（Ｓｈｏｒｔ  ＭｅｓｓａｇｅＳｅｒｖｉｃｅ，  ＳＭＳ）プロトコルを通してデータを送受信する。
【００１３】
この際に、前記データ端末機（２０）は中継器（１０）と基地局（３１）との間に‘ＬＧＥプロトコル１’と‘ＬＧＥプロトコル２’との間にデータの相互変換が可能になるが、ここで前記‘  ＬＧＥプロトコル１’及び‘  ＬＧＥプロトコル２’は中継器（１０）製造業体、或いは移動通信システム製造業体で提供する通信プロトコルの一種である。
【００１４】
即ち、前記‘  ＬＧＥプロトコル１’は、図３のような形態のパケットを定義し、前記データ端末機（２０）が‘ＬＧＥプロトコル２’を通して受信した中継器（１０）の状態情報、アラム情報等を取り合わせて基地局（３１）を含む移動通信網（３０）と連動する遠隔制御サーバー（４０）に伝送するか、或いはそれに従う前記遠隔制御サーバー（４０）から受信する応答メッセージまたは制御命令メッセージを定義し‘１：ｎ通信’を可能にし、前記定義されたパケットはデータ端末機（２０）と連結された中継器（１０）に与えられた固有番号情報を示す中継器固有番号フィルド、送受信されるパケットに対してナンバリングされたシーケンスの番号を示すシーケンス番号フィルド、送受信されるパケットに載ったデータの種類を示すデータコードフィルド、データフィルトの大きさを示すデータ大きさ情報フィルド、中継器タイプを区分する情報を伝達する中継器タイプフィルドを含むヘッダフィルドとデータフィルド及びパケット終了点フィルド等からなる。
【００１５】
また、前記‘  ＬＧＥプロトコル２’は、図４のようにパケットがスタートされることを知らせるパケットスタート点フィルド、パケットのデータフィルドに載った命令の形態を示す命令コードフィルド、データフィルドの大きさを示すデータ大きさ情報フィルド、伝達しようとするデータが可変的に載るデータフィルド、パケットの誤謬検出のためのＣＲＣ（ＣｙｃｌｉｃＲｅｄｕｎｄａｎｃｙ  Ｃｈｅｃｋ）フィルド、パケットの終了されることを知らせるパケット終了点フィルド等からなるパケットを定義し、データ端末機（２０）が中継器（１０）の状態を把握するために‘１：１通信’を行う通信プロトコルである。
【００１６】
【発明が解決しようとする課題】
しかしながら、前記のような従来技術において、移動通信システムにおける中継器を遠隔制御するためのシステムで前記中継器に連結されたデータ端末機と網管理システム上の遠隔制御サーバー間に短文メセージ（ＳＭＳ）プロトコルを通してデータを送受信する際に、短文メッセージサビースセンター（ＳＭＳＣ）に過負荷が発生する場合、前記短文メッセージプロトコルの特性上メッセージの伝送が遅延され、実時間データ伝送が不可能なのは勿論、短文メッセージに含めさせうるデータの大きさが制限的であるので、遠隔制御サーバーが各中継器の状態情報を受信するか、或いは制御命令を伝送する遠隔制御時、基本的な監視及び制御機能だけを行うことになる問題点があった。
【００１７】
本発明は前述したような問題点を解決するためのものとして、その目的は移動通信システムにおけるサービス領域内に設けられた多数個の中継器を遠隔で制御する際に、該システム内の遠隔制御サーバーがデータ端末機の中継により移動通信網を介して短文メッセージ（ＳＭＳ）  または無線モデムのリング信号で特定または多数の中継器と連結を試みてリンクを設定し、リンクが設定されるとＩＰ（ＩｎｔｅｒｎｅｔＰｒｏｔｏｃｏｌ）  網と連動するモバイルＩＰプロトコルを用い、前記特定または多数の中継器とパケットデータを送受信して遠隔制御を行うシステム及びその方法を提供することにある。
【００１８】
【課題を解決するための手段】
前述したような目的を達成するための本発明の実施例による特徴はモバイルＩＰプロトコルを用いたパケットデータの送受信を通して特定または多数の中継器を遠隔制御する遠隔制御サーバーと；前記中継器や遠隔制御サーバーの要請により移動通信網と連動して相互間にリンクを設定し、リンクが設定された後にはＩＰ網を通して受信したパケットデータを前記中継器や遠隔制御サーバーにバイパスするデータ端末機とを含むことを特徴とする移動通信システムにおける中継器遠隔制御システムを提供することにある。
【００１９】
そして、前記遠隔制御サーバーは移動通信網内のＳＭＳＣ（Ｓｈｏｒｔ  ＭｅｓｓａｇｅＳｅｒｖｉｃｅ  Ｃｅｎｔｅｒ）と整合してデータ端末機を通して特定または多数の中継器とリンクを設定した後、遠隔制御を行うことを特徴とする。
【００２０】
さらに、前記遠隔制御サーバーは移動通信網内のＩＷＦ（Ｉｎｔｅｒ  ＷｏｒｋｉｎｇＦｕｎｃｔｉｏｎ）と整合してデータ端末機を通して特定または多数の中継器とリンクを設定した後、遠隔制御を行うことを特徴とする。
【００２１】
かつ、前記データ端末機はＩＳ−７０７規約により制御されることを特徴とする。
【００２２】
本発明の実施例によるもう一つの特徴は、データ端末機の中継を通して前記中継器と遠隔制御サーバー間にリンクを設定する段階と；リンクが設定されると、ＩＰ網を通してモバイルＩＰプロトコルを用いたパケットデータを送受信し、中継器や遠隔制御サーバー間の遠隔制御を行う段階とを含むことを特徴とする移動通信システムにおける中継器遠隔制御方法を提供することにある。
【００２３】
そして、前述したリンクを設定する過程は中継器がデータ端末機の正常状態の可否を確認する段階と；前記確認結果、データ端末機が正常状態である場合、前記データ端末機に連結しようとする遠隔制御サーバーに対する遠隔制御サーバー連結情報を伝送して連結を要請する段階と；前記遠隔制御サーバー連結情報によりデータ端末機が移動通信網を通して遠隔制御サーバーとの連結承認手順を行う段階と；データ端末機が遠隔制御サーバーから連結を承認することを表すメッセージを受信するとこれを中継器に伝送してリンクを設定する段階とをさらに含むことを特徴とする。
【００２４】
かつ、前記遠隔制御サーバー連結情報は連結しようとする遠隔制御サーバーの電話番号、ＩＰ住所、サーバーポート（ｐｏｒｔ）情報のうちの何れか一つ以上を含むことを特徴とする。
【００２５】
なお、前述した遠隔制御サーバーが特定または多数の中継器を遠隔制御する過程はリンクが設定された後、優先的に前記遠隔制御サーバーが前記特定または多数の中継器に埋め込まれたソフトウェアのバージョンを確認し、新たな  バージョンで更新する段階をさらに含むことを特徴とする。
【００２６】
さらに、前述した遠隔制御サーバーが特定または多数の中継器を遠隔制御する過程は前記遠隔制御サーバーから連結解除要請があるか否やかを確認する段階と；前記確認結果、前記遠隔制御サーバーから連結解除要請がない場合、所定の待機時間の間、前記遠隔制御サーバーとデータ送受信が発生しないと自動に連結を解除する段階をさらに含むことを特徴とする。
【００２７】
なお、前述した遠隔制御サーバーと自動に連結を解除する過程は連結解除後、中継器が遠隔制御サーバーにまだ伝送しなかったデータが存在するか否やかを確認し、まだ伝送しなかったデータが存在すれば、遠隔制御サーバーとの連結を再び要請する段階をさらに含むことを特徴とする。
【００２８】
一方、本発明の実施例によるもう一つの特徴はデータ端末機の中継を通して遠隔制御サーバーと特定または多数の中継機間にリンク設定を要請する段階と；リンクが設定すると選択された管理モードによりＩＰ網を通してモバイルＩＰプロトコルを用いたパケットデータを送受信し、前記遠隔制御サーバーと特定または多数の中継機間の遠隔制御を行う段階とを含むことを特徴とする移動通信システムにおける中継器遠隔制御方法を提供することにある。
【００２９】
かつ、前記連結方法は遠隔制御サーバーが移動通信網内の  ＳＭＳＣ（ＳｈｏｒｔＭｅｓｓａｇｅ  Ｓｅｒｖｉｃｅ  Ｃｅｎｔｅｒ）と整合して短文メッセージを伝送する方法を特徴とする。
【００３０】
さらに、前記連結方法は遠隔制御サーバーが移動通信網内のＩＷＦ（ＩｎｔｅｒＷｏｒｋｉｎｇ  Ｆｕｎｃｔｉｏｎ）と整合して無線モデムのリング信号を伝送する方法であることを特徴とする。
【００３１】
かつ、前述したリンクを設定する過程は既貯蔵された中継器管理テーブルをローディングし、該中継器に対する中継器固有番号およびその連結状態を確認する段階と；前記確認結果、該中継器とリンク設定されていない場合、前記中継器と連結されたデータ端末機に短文メッセージ（ＳＭＳ）またはリング信号を伝送してリンクを設定する段階をさらに含むことを特徴とする。
【００３２】
また、前記中継器管理テーブルは、中継器固有番号テーブル、データ端末機電話番号テーブル、連結状態テーブル、連結固有番号テーブル、データ端末機に割り当てられたＩＰテーブル、ダウンロードの可否のテーブルのうちの何れか一つ以上を含むことを特徴とする。
【００３３】
かつ、前記管理モードは、データ端末機が自分に連結された中継器からアラムが発生された具体的な原因及びそのアラムの発生された中継器内部位置に対する情報を有する前記中継器の詳細な状態情報を取り合わせて所定周期の詳細情報報告時間毎に遠隔制御サーバーに報告するモードであることを特徴とする。
【００３４】
さらに、前記管理モードは、データ端末機が自分に連結された中継器動作の可否に対する情報とソフトウェアバージョン情報を含む前記中継器の管理及び遠隔制御に必要な必須情報だけを取り合わせて所定周期の必須情報報告時間毎に遠隔制御サーバーに報告するモードであることを特徴とする。
【００３５】
かつ、前述した遠隔制御サーバーが特定または多数の中継器を遠隔制御する過程は遠隔制御サーバーが特定または多数の中継器から連結解除要請があるか否やかを確認する段階と；前記確認結果、前記特定または多数の中継器から連結解除要請がない場合、所定の待機時間の間、前記特定または多数の中継器とパケットデータ送受信が発生しないと自動に連結を解除する段階とを含むことを特徴とする。
【００３６】
【発明の実施の形態】
以下、本発明による実施例を添付した図面を参照しながら詳細に説明すると次の通りである。
【００３７】
図５は、本発明の移動通信システムにおける中継器の遠隔制御システム網の構成を示したブロック図であり、ここに図示したように、中継器（１００）、データ端末機（Ｄａｔａ  Ｔｅｒｍｉｎａｌ  Ｅｑｕｉｐｍｅｎｔ，  ＤＴＥ）  （２００）、ＩＰ網（３００）、移動通信網（４００）、遠隔制御サーバー（５００）からなる。
【００３８】
移動通信システムの網管理システム（未図示）内の遠隔制御サーバー（５００）が該サービス領域内に設けられた多数個の中継器（１００）を遠隔で制御する際に、本発明で中継器（１００）または遠隔制御サーバー（５００）はデータ端末機（２００）の中継により移動通信網（４００）を通して相互間にリンクを設定し、相互間にリンクが設定された後には前記データ端末機（２００）が相互間に伝達されるパケットデータをバイパス（Ｂｙｐａｓｓ）し、前記中継器（１００）と遠隔制御サーバー（５００）間にモバイル（Ｍｏｂｉｌｅ）ＩＰプロトコルを用いたデータの送受信が行われるようにする。
【００３９】
ここで、モバイルＩＰプロトコルはネットワーク階層でのハンドオフ（ｈａｎｄ  ｏｆｆ）を実現させようとする目的で開発が始まったインターネットプロトコルとして、ＩＭＴ（ＩｎｔｅｒｎａｔｉｏｎａｌＭｏｂｉｌｅ  Ｔｅｌｅｃｏｍｍｕｎｉｃａｔｉｏｎ）−２０００サービス、次世代移動通信サービス、既存の移動通信サービス等を提供するＩＰ網（３００）または移動通信網（４００）は勿論、無線ランを始める多様な無線網でインターネット接続及びローミング／ハンドオフサビース等を提供するプロトコルを言うのであるが、本発明で網管理システム（未図示）内の遠隔制御サーバー（５００）はＩＰ網（３００）と連動するモバイルＩＰプロトコルを用いて中継器（１００）を遠隔制御することになる。
【００４０】
そして、本発明でプロトコルスタック（Ｐｒｏｔｏｃｏｌ  Ｓｔａｃｋ）は、図９のように中継器（１００）とデータ端末機（２００）間には物理階層にＲＳ−２３２Ｃ規格を通して直列に連結され、データリンク階層に前記データ端末機（２００）を制御するための無線データサービスに対する規約である  ＥＩＡ／ＴＩＡの勧告案ＩＳ−７０７を採択し、前記中継器（１００）とデータ端末機（２００）間に伝送されるデータを制御するために、各装備の製造業体別に自体プロトコルを開発し使用しなくてもよいし、ネットワーク階層に‘１：１通信’の可能なプロトコルとして‘ＬＧＥプロトコル２’が用いられる。
【００４１】
そして、ＩＰ網（３００）または移動通信網（４００）内の基地局とデータ端末機（２００）間には物理階層に無線インターフェース（Ａｉｒ１／Ｆ）に連結され、ネットワーク階層にＩＰプロトコルが用いられ中継器（１００）と遠隔制御サーバー（５００）間にデータを送受信する。
【００４２】
ここで、前記‘ＬＧＥプロトコル２’は中継器（１００）製造業体または移動通信システム製造業体で提供する通信プロトコルの一種で、図４のようにパケットがスタートされることを知らせるパケットスタート点フィルド、パケットのデータフィルドに載った命令の形態を示す命令コードフィルド、データフィルドの大きさを示すデータ大きさ情報フィルド、伝達しようとするデータが可変的に載せるデータフィルド、パケットの誤謬検出のためのＣＲＣ（ＣｙｃｌｉｃＲｅｄｕｎｄａｎｃｙ  Ｃｈｅｃｋ）フィルド、パケットの終了されることを知らせるパケット終了点フィルド等からなるパケットを定義し、データ端末機（２００）が中継器（１００）の状態を把握するための通信プロトコルである。
【００４３】
本発明で中継器（１００）はＲＦ（Ｒａｄｉｏ  Ｆｒｅｑｕｅｎｃｙ）中継器であることを仮定すれば、前記中継器（１００）は電波陰影地域に設けられ、制御部（１３０）の制御によりアンテナ（１１０）及びＲＦモジュール（１２０）を通して基地局電波が通らない所においても移動電話が可能となるよう基地局と電波陰影地域の間を連結して基地局のカバレッジー（Ｃｏｖｅｒａｇｅ）を拡張するのは勿論、最初駆動時、または障害発生時、または伝送するデータが存在する時に既貯蔵された遠隔制御サーバー連結情報をデータ端末機（２００）に伝達した後、前記データ端末機（２００）の中継器により移動通信網（４００）を通して網管理システム（未図示）内の遠隔制御サーバー（５００）と連結を試みてリンクを設定し、前記遠隔制御サーバー（５００）の連結承認によりリンクが設定された後にはモバイルＩＰプロトコルにより前記遠隔制御サーバー（５００）と自分の状態情報及びアラム情報または遠隔制御サーバー（５００）の制御命令に対するパケットデータを送受信することになる。
【００４４】
そして、前記中継器（１００）と一体をなすか、または有線で連結されたデータ端末機（２００）は、移動通信網（４００）を通して特定または多数の中継器（１００）と遠隔制御サーバー（５００）間の通信のための連結を中継し、連結が完了すると相互間に伝達されるパケットデータをバイパスする役割をする。
【００４５】
ここで、前記データ端末機（２００）に無線モデム  （Ｗｉｒｅｌｅｓｓ  Ｍｏｄｅｍ）を用いる場合、中継器（１００）と遠く離れた遠隔制御サーバー（５００）間を移動通信網（４００）を通して短文メッセージ（ＳＭＳ）形態のデータで連結を試みて有線モデム（ＤｉａｌｕｐＭｏｄｅｍ）  を用いる場合  ＰＳＴＮ（Ｐｕｂｌｉｃ  Ｓｗｉｔｃｈｅｄ  Ｔｅｌｅｐｈｏｎｅ  Ｎｅｔｗｏｒｋ）の有線電話網（未図示）を通して連結を試みるが、本発明では前記データ端末機（２００）で無線モデムを使用することに仮定する。
【００４６】
そして、網管理システム（未図示）内の遠隔制御サーバー（５００）は移動通信システムにおいて、サービス領域内に設けられた多数個の中継器（１００）を遠隔で制御する際に、データ端末機（２００）の中継により移動通信網（４００）を通して特定または多数の中継器（１００）と連結を試みてリンクを設定し、相互間にリンクが設定されるとモバイルＩＰプロトコルを用いて前記特定の中継器（１００）の状態情報またはアラム情報を受信するか、または網管理システム（未図示）管理者の制御命令を送信することにより、前記特定または多数の中継器（１００）を遠隔制御する。
【００４７】
即ち、前記遠隔制御サーバー（５００）は図１０のように制御部（５１０）、データベース部（５２０）、ＳＮＭＰ（ＳｉｍｐｌｅＮｅｔｗｏｒｋ  Ｍａｎａｇｅｍｅｎｔ  Ｐｒｏｔｏｃｏｌ）部（５３０）、常住プログラム管理部（５４０）からなり、前記制御部（５１０）内の仲裁部（５１４）は管理者の設定によりＩＰ網（３００）、移動通信網（４００）と整合された各インターフェース（５１１−５１３）を通して中継器（１００）及びデータ端末機（２００）とパケットデータ送受信のための連結を試みて運用部及び管理部（５１５）は連結が完了された後、前記中継器（１００）から受信した状態情報及びアラム情報を分析し、それによる措置及び管理者の制御命令を処理した後、前記仲裁部（５１４）の制御により各インターフェース（５１１−５１３）及びＩＰ網（３００）または移動通信網（４００）を通して中継器（１００）に伝送することになる。
【００４８】
ここで、前記仲裁部（５１４）が移動通信網（４００）と連動する場合、ＳＭＳインターフェース部（５１２）はＳＭＳＣ（Ｓｈｏｒｔ  Ｍｅｓｓａｇｅ  Ｓｅｒｖｉｃｅ  Ｃｅｎｔｅｒ）（未図示）と整合してモデムインターフェース部（５１３）はＩＷＦ（Ｉｎｔｅｒ  ＷｏｒｋｉｎｇＦｕｎｃｔｉｏｎ）  （未図示）と整合してＳＭＳまたはリング信号で特定または多数の中継器（１００）との連結を試みてリンクを設定し、リンクが設定された後、前記仲裁部（５１４）はＩＰ網（３００）と連動するが、この際にＩＰインターフェース部（５１１）は前記ＩＰ網（３００）内のＧＧＳＮ（ＧａｔｅｗａｙＧＰＲＳ  Ｓｕｐｐｏｒｔ  Ｎｏｄｅ）  （未図示）またはＰＤＳＮ（Ｐａｃｋｅｔ  Ｄａｔａ  Ｓｅｒｖｉｎｇ  Ｎｏｄｅ）（未図示）と整合してモバイルＩＰを用いたパケットデータを送受信する。
【００４９】
その他にも前記運用及び管理部（５１５）はデータベース部（５２０）と連動し受信された中継器（１００）の状態情報及びアラム情報に対する統計処理をし、前記中継器（１００）に埋め込まれたソフトウェアのダウンロードが必要な場合、前記データベース部（５２０）に既貯蔵された最新のソフトウェアを前記中継器（１００）にダウンロードするようにする。
【００５０】
そして、前記データベース部（５２０）はシステム運営の必要な各種ソフトウェア、中継器（１００）の状態情報及びアラム情報に対する統計処理データ等を貯蔵した後、運用及び管理部（５１５）と連動しデータを管理し、前記ＳＮＭＰ部（５３０）はモバイルＩＰプロトコルを通して中継器（１００）と通信を行う途中に発生される網管理情報を収集し管理する役割をし、常住プログラム管理部（５４０）は前記制御部（５１０）の運営に関連された常住プログラムの状態を監視し管理する役割をする。
【００５１】
一方、本発明の動作過程を説明すると、中継器（１００）から遠隔制御サーバー（５００）への連結を試みる場合、図６のように中継器（１００）は前記中継器（１００）の最初駆動時、または該中継器（１００）に障害発生時、または伝送するデータが存在する時に、データ端末機（２００）の中継を通して遠く離れた遠隔制御サーバー（５００）と連結を試みて前記データ端末機（２００）を通して前記遠隔制御サーバー（５００）のリンク設定を要請する（Ｓ６０）。
【００５２】
即ち、図１２のように中継器（１００）はデータ端末機状態確認メセージを通してデータ端末機（２００）が正常状態であることを確認した後、連結を試みようとする遠隔制御サーバー（５００）の電話番号、ＩＰ住所、サーバーポート情報等を含む遠隔制御サーバー連結情報を前記データ端末機（２００）に伝達し、遠隔制御サーバー（５００）との連結を要請する。
【００５３】
その後、前記遠隔制御サーバー連結情報により、前記データ端末機（２００）は移動通信網（４００）を通して短文メッセージ（ＳＭＳ）またはリング信号で遠隔制御サーバー（５００）との連結承認手続きを行い、それにより前記データ端末機（２００）及び中継器（１００）が前記遠隔制御サーバー（５００）から連結承認メッセージを受信すると中継器（１００）、データ端末機（２００）及び遠隔制御サーバー（５００）間にリンクが設定されてパケットデータ送受信のための連結が完了する（Ｓ６１，Ｓ６２）。
【００５４】
そうすると、前記中継器（１００）はリンクが設定された後、優先的に自分の貯蔵しているソフトウェアのバージョンに対する情報を前記遠隔制御サーバー（５００）に伝送しソフトウェアを更新する手続きを行うが、この際に新たなバージョンのソフトウェアが存在すると、前記遠隔制御サーバー（５００）内のデータベース（５２０）に既貯蔵された新たなバージョンのソフトウェアをモバイルＩＰプロトコルを用いてパケットデータ形態でダウンロードすることになる（Ｓ６３）。
【００５５】
次に、ソフトウェアの更新手続きが完了すると、前記中継器（１００）はＩＰ網（３００）を通して前記遠隔制御サーバー（５００）と遠隔制御を行うことになる（Ｓ６４）。
【００５６】
ここで、前記データ端末機（２００）は中継器（１００）または遠隔制御サーバー（５００）から受信するパケットデータに対して追加的なメッセージやプロトコル変換なしにバイパスして相対側に送信し、まるで中継器（１００）と遠隔制御サーバー（５００）間にパケットデータが送受信することと同様の役割をする。
【００５７】
そして、前記遠隔制御サーバー（５００）と遠隔制御を行う中継器（１００）は前記遠隔制御サーバー（５００）から連結解除要請があるか否やかを確認し（Ｓ６５）、前記確認結果連結解除要請がなくても所定の待機時間の間、前記遠隔制御サーバー（５００）とデータ送受信が発生しない場合には自動で連結を解除する（Ｓ６６，Ｓ６７）。
【００５８】
これは、中継器（１００）と遠隔制御サーバー（５００）間に連結が成された後、何のデータの伝送のない状態で連結解除が成されない場合、ＩＰ網（３００）のチャンネル資源が浪費されうるためであり、この場合、前記中継器（１００）と遠隔制御サーバー（５００）は所定の待機時間経過後、自動で連結を解除することになり、連結解除後、前記中継器（１００）は前記遠隔制御サーバー（５００）にまだ伝送しなかったデータが存在するか否やかを確認し、まだ伝送しなかったデータが存在する場合には前記中継器（１００）は遠隔制御サーバー（５００）との連結を再び試みることになる。
【００５９】
ここで、ＩＰ網（３００）の環境による影響でデータの伝送が行われないので、所定の待機時間が経過し、前記のように、前記遠隔制御サーバー（５００）と中継器（１００）が自動で連結が解除された場合、前記中継器（１００）には伝送するデータが存在することになるので、前記中継器（１００）は連結解除後、まだ伝送しなかったデータが存在するか否やかを確認し、前記遠隔制御サーバー（５００）との連結を再び試みることになる。
【００６０】
一方、遠隔制御サーバー（５００）から中継器（１００）への連結を試みる場合、図７のように中継器（１００）は網管理システム（未図示）管理者の設定により特定または多数の中継器（１００）に対して遠隔制御を行う際に、前記遠隔制御サーバー（５００）は管理者が選択した連結方法により、データ端末機（２００）の中継を通して移動通信網（４００）と連動し、前記特定または多数の中継器（１００）とリンク設定を要請する（Ｓ７０、Ｓ７１）。
【００６１】
前記において、管理者はシステム環境または移動通信網（４００）の環境により特定または多数の中継器（１００）と連結を試みるために、ＳＭＳインターフェース部（５１２）を通して移動通信網（４００）内のＳＭＳＣ（Ｓｈｏｒｔ  Ｍｅｓｓａｇｅ  Ｓｅｒｖｉｃｅ  Ｃｅｎｔｅｒ）（未図示）と整合して短文メッセージ（ＳＭＳ）を伝送する方式を使用するか、或いはモデムインターフェース部（５１３）を通して移動通信網（４００）内のＩＷＦ（ＩｎｔｅｒＷｏｒｋｉｎｇ  Ｆｕｎｃｔｉｏｎ）  （未図示）と整合して無線モデムのリング信号を伝送する方法を選択できる。
【００６２】
そして、網管理システム（未図示）の管理者はシステムが正常動作中、特定または多数の中継器（１００）を選択してその状態を確認できるのであるが、管理者は所定周期の状態報告時間毎に前記特定または多数の中継器（１００）が自分の状態を報告するように設定するか、または特定時点での前記特定または多数の中継器（１００）の状態を報告するように設定できる。
【００６３】
ここで、前記遠隔制御サーバー（５００）が移動通信網（４００）を通して特定または多数の中継器（１００）と連結を試みる場合、図１３のように短文メセージ（ＳＭＳ）プロトコルを通して中継器連結要求メッセージを前記遠隔制御サーバー（５００）と整合された移動通信網（４００）内のＳＭＳＣ（Ｓｈｏｒｔ  Ｍｅｓｓａｇｅ  Ｓｅｒｖｉｃｅ  Ｃｅｎｔｅｒ）（未図示）、データ端末機（２００）を経て中継器（１００）に伝送し、これを受信した中継器（１００）で遠隔制御サーバー（５００）との連結を要請するようにし、前記遠隔制御サーバー（５００）が内部のモデムインターフェース部（５１３）を通してＩＷＦ（未図示）を含む移動通信網（４００）と整合して特定または多数の中継器（１００）と連結を試みる場合にはモデムを通したリング信号を前記ＩＷＦ（未図示）を含む移動通信網（４００）、データ端末機（２００）を経て中継器（１００）に伝送し、前記中継器（１００）が前記遠隔制御サーバー（５００）に連結を要請するようにする。
【００６４】
この際に、データ端末機（２００）は前記中継器（１００）から遠隔制御サーバ−連結情報を受信し、該遠隔制御サーバー（５００）が選択した連結方法により前記遠隔制御サーバー（５００）との連結承認手続きを行う。
【００６５】
そして、前記遠隔制御サーバー（５００）が選択された特定または多数個の中継器（１００）と連結を試みる場合、前記遠隔制御サーバー（５００）内の制御部（５１０）はデータベース部（５２０）に既貯蔵された中継器管理テーブルを用いる。
【００６６】
ここで、前記中継器管理テーブルは網管理システム（未図示）のサービス領域内の多数個の中継器（１００）を管理し、遠隔制御を行うためのテーブルとして、図１１のように、各中継器（１００）に与えられた固有番号を表す‘中継器固有番号テーブル’、移動通信網（４００）を通して中継器（１００）との連結を試図する時、必要なデータ端末機（２００）の電話番号を表す‘データ端末機電話番号テーブル’、中継器（１００）の連結状態を表す‘連結状態テーブル’、該中継器（１００）と連結が完了した後、該中継器（１００）にデータを伝送する際に、連結状態を区別するための識別子を表す‘連結固有番号テーブル’、該中継器（１００）と連結が完了した後、モバイルＩＰプロトコルによりデータの目的地住所となるデータ端末機（２００）のＩＰ住所を表す‘データ端末機に割り当てられたＩＰテーブル’、管理者の設定により該中継器（１００）に中継器（１００）運営のためのソフトウェアのダウンロードの可否を表す‘ダウンロードの可否のテーブル’等で区分し構成する。
【００６７】
従って、管理者が遠隔制御サーバー（５００）を通して特定または多数の中継器（１００）との連結を試みようとする場合、図８のように遠隔制御サーバー（５００）内の制御部（５１０）はデータベース部（５２０）に既貯蔵された中継器管理テーブルをローディングし、該中継器（１００）に対する‘中継器固有番号テーブル’及び‘連結状態テーブル’を確認する（Ｓ８０、Ｓ８１）。
【００６８】
そして、前記確認結果、該中継器（１００）とリンクが設定されていない場合には‘データ端末機電話番号テーブルを用いて該中継器（１００）と連結されたデータ端末機（２００）に短文メッセージ（ＳＭＳ）またはリング信号を伝送することにより、遠隔制御サーバー（５００）が前記中継器（１００）及びデータ端末機（２００）とリンクを設定するようにする（Ｓ８２、Ｓ８３）。
【００６９】
次に、中継器（１００）が前記遠隔制御サーバー（５００）から連結承認メッセージを受信し、それにより中継器（１００）、データ端末機（２００）及び遠隔制御サーバー（５００）間にリンクが設定され、パケットデータ送受信のための連結が完了すると（Ｓ７２，Ｓ７３），網管理システム（未図示）管理者は管理モードを選択し、それによりＩＰ網（３００）を通して前記特定または多数の中継器（１００）と遠隔制御を行うことになる（Ｓ７４）。
【００７０】
ここで、前記網管理システム（未図示）管理者は遠隔制御サーバー（５００）を通して状態情報収集モードと遠隔制御モードを選択し、連結された特定または多数の中継器（１００）と遠隔制御を行うが、前記状態情報収集モードは前記中継器（１００）からアラム情報が受信するか、または管理者がより詳細な中継器（１００）の状態情報を得ようとする場合、システム管理者が選択するモードとして、このモードでデータ端末機（２００）は自分に連結された中継器（１００）からアラムが発生された具体的な原因、そのアラムの発生した中継器（１００）の内部位置に対する情報等のような前記中継器（１００）の詳細な状態情報を取り合わせた後、その取り合わせたデータを所定周期の詳細情報報告時間毎に遠隔制御サーバー（５００）に報告することになる。
【００７１】
そして、前記遠隔制御モードは前記中継器（１００）が正常動作中である際に選択するモードとして、このモードでデータ端末機（２００）は自分に連結された中継器（１００）の動作の可否に対する情報、ソフトウェアバージョン情報等のような前記中継器（１００）の管理及び遠隔制御に必要な必須情報だけを取り合わせたデータを前記詳細情報報告時間よりはさらに長い周期の必須情報報告時間毎に前記遠隔制御サーバー（５００）に報告することになる。
【００７２】
次に、特定または多数の中継器（１００）と遠隔制御を行う遠隔制御サーバー（５００）は前記中継器（１００）から連結解除要請があるか否やかを確認して連結解除の可否を決定し（Ｓ７５），前記から連結解除要請がなくても所定の待機時間の間、前記中継器（１００）とデータ送受信が発生しない場合には中継器（１００）の場合と同様に自動に連結を解除する（Ｓ７６，Ｓ７７）。
【００７３】
さらに、本発明による実施例は移動通信システムで遠隔制御サーバーがモバイルＩＰプロトコルを用いてサービス領域内に設置された特定または多数の中継器を遠隔制御することに限定しているが、これは前述した実施例に限定されることなく、本発明の属する技術分野で通常の知識を有する者であれば、本発明を多様に変形または変更して実施できることは自明なことである。従って、本発明の変形された実施例は本発明の添付された特許請求の範囲内に属すると見なすべきであろう。
【００７４】
本発明はモバイルＩＰプロトコルを用いたパケットデータの送受信を通して特定または多数の中継器を遠隔制御する遠隔制御サーバーと；前記中継器や遠隔制御サーバーの要請により移動通信網と連動して相互間にリンクを設定し、リンクが設定された後にはＩＰ網を通じて受信したパケットデータを前記中継器や遠隔制御サーバーにバイパスするデータ端末機を含むシステムを備えて構成することにより、移動通信システムにおけるサービス領域内に設けられた多数個の中継器を遠隔で制御する際に、データ端末機の中継により移動通信網を介して短文メッセージ（ＳＭＳ）  または無線モデムのリング信号で特定または多数の中継器と連結を試みてリンクを設定し、リンクが設定されるとＩＰ網と連動するモバイルＩＰプロトコルを用い、前記特定または多数の中継器とパケットデータを送受信して遠隔制御を行うことにより、実時間で各中継器の状態情報またはアラム情報を受信するか、または遠隔制御サーバーの制御命令を送信する両方向通信を行うことは勿論、モバイルＩＰプロトコルに従うパケットデータを用いた大量のデータ送受信が可能であるので、各中継器に対するソフトウェアのダウンロードと精密な監視及び制御を遠隔で行う効果がある。
【００７５】
【発明の効果】
以上のように、本発明は移動通信システムにおけるサービス領域内に設けられた多数個の中継器を遠隔で制御する際に、該システム内の遠隔制御サーバーがデータ端末機の中継により移動通信網を介して短文メッセージ（ＳＭＳ）  または無線モデムのリング信号で特定または多数の中継器と連結を試みてリンクを設定し、リンクが設定されるとＩＰ網と連動するモバイルＩＰプロトコルを用い、前記特定または多数の中継器とパケットデータを送受信し、遠隔制御を行うことにより、実時間で各中継器の状態情報またはアラム情報を受信するか、または遠隔制御サーバーの制御命令を送信する両方向通信を行うことは勿論、モバイルＩＰプロトコルによるパケットデータを用いた大量のデータ送受信が可能であるので、各中継器に対するソフトウェアのダウンロードと精密な監視及び制御を遠隔で行う効果がある。
【図面の簡単な説明】
【図１】従来中継器の遠隔制御のためのシステム網の構成を示したブロック図。
【図２】従来中継器の遠隔制御のためのシステムにおいて、中継器とデータ端末機のプロトコルスタックを示した階層図。
【図３】従来中継器の遠隔制御のためのシステムにおいて、ＬＧＥプロトコル１によるパケットを示した構成図。
【図４】従来中継器の遠隔制御のためのシステムにおいて、ＬＧＥプロトコル２によるパケットを示した構成図。
【図５】本発明の移動通信システムにおける中継器の遠隔制御システム網の構成を示したブロック図。
【図６】本発明の移動通信システムにおける中継器の遠隔制御方法において、中継器から遠隔制御サーバーへの連結を試みる過程を示した順序図。
【図７】本発明の移動通信システムにおける中継器の遠隔制御方法において、遠隔制御サーバーから中継器への連結を試みる過程を示した順序図。
【図８】前記図７において、遠隔制御サーバーが中継器管理テーブルを用いて特定または多数の中継器との連結を試みる過程を示した順序図。
【図９】本発明の移動通信システムにおける中継器の遠隔制御方法において、中継器とデータ端末機のプロトコルスタックを示した階層図。
【図１０】本発明の移動通信システムにおける中継器の遠隔制御システムにおいて、遠隔制御サーバーの構成を示したブロック図。
【図１１】本発明の移動通信システムにおける中継器の遠隔制御方法において、中継器管理テーブルの構成を示した構成図。
【図１２】本発明の移動通信システムにおける中継器の遠隔制御方法において、中継器から遠隔制御サーバーへの連結を試みる際に信号の流れを示した信号流れ図。
【図１３】本発明の移動通信システムにおける中継器の遠隔制御方法において、遠隔制御サーバーから中継器への連結を試みる際に信号の流れを示した信号流れ図。
【符号の説明】
１００  中継器
１２０  ＲＦモジュール
１３０  制御部
２００  データ端末器
３００  ＩＰ網
４００  移動通信網
５００  遠隔制御サーバー
【図１】
2004357264.tif 000003
【図２】
2004357264.tif 000004
【図３】
2004357264.tif 000005
【図４】
2004357264.tif 000006
【図５】
2004357264.tif 000007
【図６】
2004357264.tif 000008
【図７】
2004357264.tif 000009
【図８】
2004357264.tif 000010
【図９】
2004357264.tif 000011
【図１０】
2004357264.tif 000012
【図１１】
2004357264.tif 000013
【図１２】
2004357264.tif 000014
【図１３】
2004357264.tif 000015